(57)【特許請求の範囲】
【請求項１】
鏡本体の表面に親水性の付加されたフィルムが貼付された浴室用防汚鏡であって、フィルムの周囲の端面に面取りが施され、フィルム端面が斜面形状を有し、フィルムの四隅の角部が切り落とされており、フィルムの四隅の角部の切り落し面は勾配を備え、台形状に形成されており、
鏡本体も面取り斜面を有し、フィルムの面取り斜面は鏡の面取り斜面と連続な斜面となり、フィルムの角部の切り落とし斜面は鏡本体の角部と連続な斜面となることを特徴とする浴室用防汚鏡。
【請求項２】
鏡本体の表面に親水性の付加されたフィルムが貼付された浴室用防汚鏡であって、フィルムの周囲の端面に面取りが施され、フィルム端面が斜面形状を有し、フィルムの四隅の角部が切り落とされており、フィルムの四隅の角部の切り落し面は勾配を備え、扇状に形成されており、
鏡本体も面取り斜面を有し、フィルムの面取り斜面は鏡の面取り斜面と連続な斜面となり、フィルムの角部の切り落とし斜面は鏡本体の角部と連続な斜面となることを特徴とする浴室用防汚鏡。
【発明の詳細な説明】
【技術分野】
【０００１】
本発明は、浴室用防汚鏡に関するものである。
【背景技術】
【０００２】
従来、鏡本体の表面に防曇性、防汚性を付与するために親水性フィルムを貼り付ける構成は知られている。例えば、鏡本体の表面に、親水基を有するセルローズ系高分子フィルムを積層し、防曇性を与える構成が知られている（特許文献１参照）。
【０００３】
鏡材の主体部分である金属シートの裏側面には接着剤層を、他面には防曇性付与を目的にコーティングされた防曇層を有し、且つ、両面には各々保護用の剥離シートが被覆されている鏡材シートが知られている（特許文献２参照）。
【先行技術文献】
【特許文献】
【０００４】
【特許文献１】特開昭６３−２３１９３６号公報
【特許文献２】特許第３８６１１９５号公報
【発明の概要】
【発明が解決しようとする課題】
【０００５】
上記従来の親水性フィルムを貼り付けた鏡では、親水性フィルムの端面において、擦れに起因するフィルムのめくれや、鏡の端部の残水による水垢痕、カビ、ヌメリなどが生じるという問題がある。
【０００６】
本発明は、上記従来の問題を解決することを目的とし、鏡面に貼付された親水性フィルムについて、その周囲におけるフィルムのめくれ、水垢痕、カビ、ヌメリなどの問題を解消することを課題とする。
【課題を解決するための手段】
【０００７】
本発明は上記課題を解決するために、鏡本体の表面に親水性の付加されたフィルムが貼付された浴室用防汚鏡であって、フィルムの周囲の端面に面取りが施され、フィルム端面が斜面形状を有し、フィルムの四隅の角部が切り落とされており、フィルムの四隅の角部の切り落し面は勾配を備え、台形状に形成されており、鏡本体も面取り斜面を有し、フィルムの面取り斜面は鏡の面取り斜面と連続な斜面となり、フィルムの角部の切り落とし斜面は鏡本体の角部と連続な斜面となることを特徴とする浴室用防汚鏡を提供する。
【０００８】
本発明は上記課題を解決するために、鏡本体の表面に親水性の付加されたフィルムが貼付された浴室用防汚鏡であって、フィルムの周囲の端面に面取りが施され、フィルム端面が斜面形状を有し、フィルムの四隅の角部が切り落とされており、フィルムの四隅の角部の切り落し面は勾配を備え、扇状に形成されており、鏡本体も面取り斜面を有し、フィルムの面取り斜面は鏡の面取り斜面と連続な斜面となり、フィルムの角部の切り落とし斜面は鏡本体の角部と連続な斜面となることを特徴とする浴室用防汚鏡を提供する。
【発明の効果】
【００１１】
本発明に係る浴室用防汚鏡では、鏡本体の表面に貼付された親水性の付加されたフィルムは、その周囲の端面に面取りが施され、フィルム端面が斜面形状を有するので、指などがフィルム端面に引っかかることがなく、フィルムのめくれが防止される。
【図面の簡単な説明】
【００１２】
【図１】本発明に係る浴室用防汚鏡の実施例を説明する図で、（ａ）は浴室用防汚鏡全体の平面図であり、（ｂ）はフィルムの構成を示す断面図である。
【図２】（ａ）は図１（ａ）のＡ−Ａ断面図であり、（ｂ）は上記実施例の浴室用防汚鏡の角部を説明する平面図である。
【図３】（ａ）は図２（ｂ）のＡ−Ａ断面図であり、（ｂ）は上記実施例の浴室用防汚鏡の角部を正面から見た図である。
【図４】（ａ）は上記実施例の浴室用防汚鏡の角部の別の構成例を説明する平面図であり、（ｂ）は上記別の構成例の角部を正面視した図を示す。
【図５】本発明の効果を説明するための比較例を示す図であり、（ａ）は比較例の周囲の端部の断面図であり、（ｂ）は浴室用防汚鏡の別の比較例における角部の平面図である。
【発明を実施するための形態】
【００１３】
本発明に係る浴室用防汚鏡を実施するための形態を実施例に基づき図面を参照して、以下説明する。
【００１４】
（実施例）
本発明に係る浴室用防汚鏡の実施例を図１〜４において説明する。この実施例の浴室用防汚鏡１は、図１（ａ）に示すように、鏡本体２の表面に親水性の付加されたフィルム３が貼付されている。
【００１５】
親水性の付加されたフィルム３としてはいろいろな構成があるが、その一例を図１（ｂ）に示す。図１（ｂ）に示すフィルム３は、樹脂性の透明な薄膜で形成された基材６と、基材６の表面に付与された親水層７と、基材６の裏面に設けられた接着層８と、を備えている。
【００１６】
親水層７は、水酸基を有する材料で構成した層、光触媒層、表面に凹凸を有する層など、周知の親水材料が使用される。接着層８に用いられる接着剤は、アクリルウレタン系、ウレタン系またはアクリル系などの接着剤である。
【００１７】
フィルム３は、その周囲の端面に、図２（ａ）に示すように、フィルム３の主表面１１に対して斜め面取りが施され、フィルム３の端面が斜面形状を有する。このような斜め面取りによって形成される斜面（「面取り斜面」という）１２は、鏡本体２の面取り斜面１３と連続的な斜面となるように施される。
【００１８】
鏡本体２の面取り斜面１３は、鏡本体２の周囲の端面における垂直面１０の一部が斜め面取りされて形成されている。鏡本体２の厚さｔ１は、例えば５ｍｍ程度である。
【００１９】
フィルム３の厚さｔ２は、例えば１００μｍ程度である。フィルム３の主表面１１に対する斜め面取りの角度αは、一例として、４０°〜７０°程度であり、面取り斜面１２の水平幅ｗは２００μｍ以下とすることが好ましい。
【００２０】
このようにフィルム３を斜め面取りをするためには、鏡本体２の周囲の端面を先に斜め面取りして面取り斜面１３を形成し、フィルム３を鏡本体２の表面に貼り付けてから、鏡本体２の面取り斜面１３の角度に合わせて連続的な斜面となるように、フィルム３の斜め面取りを行う。
【００２１】
なお、フィルム３を予め斜め面取りしておくか、フィルム３製造の際に周囲の端面を斜面形状に製造しておいて、別途、斜め面取りされた鏡本体２に貼付してもよい。或いは、鏡本体２にフィルム３を貼付してから、フィルム３と鏡本体２を同時（連続的）に斜め面取りしてもよい。
【００２２】
以上のとおり、鏡本体２の周囲の端面の面取り斜面１３に連続して、フィルム３の周囲の端面を面取り斜面１２として形成すると、図１（ａ）、図２（ｂ）に示すように、鏡本体２の周囲には、平面視で、フィルム３の面取り斜面１２と、その外側を取り囲むように位置する、鏡本体２の面取り斜面１３が、それぞれ形成された構成となる。
【００２３】
鏡本体２の四隅の角部１４は、面取り斜面１３を残して平面視で直線状に切り落とされて、図２（ｂ）、図３（ａ）に示すように、切り落し面１５が形成されている。この切り落し面１５は、面取り斜面１６と垂直面１７から成る。
【００２４】
このような鏡本体２の四隅の角部１４に対応して、フィルム３の四隅の角部２０も、面取り斜面１２を残し、平面視で直線状に切り落とされて、図２（ｂ）、図３（ａ）に示すように、切り落し面１８が形成されている。
【００２５】
フィルム３の角部２０の切り落し面１８についても、フィルムの他の周囲の面取り斜面１２と同様に、主表面１１に対して勾配を有する面取り傾斜面として形成されている。浴室用防汚鏡１の角部２１を正面視すると、図３（ｂ）に示すように、フィルム３の切り落し面１８は、台形状に形成されている。
【００２６】
フィルム３の角部２０は、直線状ではなく、図４（ａ）に示すように、平面視で円弧状に切り落とされ、切り落し面２２が形成されている構成としてもよい。
【００２７】
このようにフィルム３の角部２０が円弧状に切り落とされている構成であっても、この切り落し面２２は、主表面１１に対して勾配を有する傾斜面として形成されている。フィルム３の角部２０の切り落し面２２は、図４（ａ）に示すように、平面視で略扇状を示しており、図４（ｂ）に示すように、正面視でも略扇状を示している。
【００２８】
（作用）
以上の構成からなる浴室用防汚鏡１の作用について説明する。図５（ａ）に示す構成は、比較例であり、鏡本体２の上面にフィルム３が付加されているが、フィルム３の周囲の端面には、面取り斜面１２が形成されておらず、端面は垂直面２５となっている。
【００２９】
この比較例のように、フィルム３の端面が垂直面２５として形成されていると、使用者の指や他の物体などが引っかかる可能性があり、指などが引っかかると、その引っかかりにより端面に及ぼす力は、フィルム３のめくれる力として作用するので、フィルム３は、その端面からめくれたりして、剥がれ易いという問題が生じる。
【００３０】
これに対して、本発明に係る浴室用防汚鏡１は、フィルム３の周囲の端面に、勾配を備えた面取り斜面１２が形成されているので、使用者の指や他の物体が面取り斜面１２に引っかかりにくく、フィルム３は、その面取り斜面１２からめくれにくく、剥がれにくくなる。
【００３１】
また、本発明に係る浴室用防汚鏡１は、フィルム３は親水性であり、水滴のフィルム３の主表面１１に対する接触角（水滴と主表面１１のなす角度）が小さいので、フィルム３主表面１１上の水滴は平坦に薄く広がり、乾燥しやすく、水は除去されやすい。その結果、防曇性が得られるだけでなく、残水に起因する水垢痕、汚れ、カビなどが生じにくくなる。
【００３２】
特に、フィルム３の周囲の端面近くに残った水は、フィルム３の周囲の端面に形成されている面取り斜面１２に沿って流れ落ちやすくなる。従って、フィルム３の周囲の端面付近においては、フィルム３の表面に残水が生じにくく、水垢痕、汚れ、カビなどが生じにくくなる。
【００３３】
図５（ｂ）は別の比較例であるが、同図に示すように、鏡本体２の角部１４において、フィルム３の角部２０が切り取られ（図２（ｂ）参照）ておらず、平面視で直角に形成され、鏡本体２の角部１４からはみ出している。このような構成のフィルム３は、その角部からめくれて剥がれ易くなる。
【００３４】
これに対して、本発明に係る浴室用防汚鏡１は、図２（ｂ）、図３（ａ）に示すように、鏡本体２の角部１４において、フィルム３の角部が切り取られており、鏡本体２の角部１４からはみ出していないので、フィルム３は、その角部２０からめくれにくい。
【００３５】
また、本発明のフィルム３によれば、図２（ｂ）に示すように、フィルム３の角部２０においても、勾配を備えた切り落とし面１８が形成されているので、人の指などが引っかかかりにくく、フィルム３が、その角部２０からめくれにくく、角部２０から剥がれにくくなる。
【００３６】
以上、本発明に係る浴室用防汚鏡を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３７】
本発明に係る浴室用防汚鏡は上記のような構成であるから、浴室用の鏡だけでな、住宅設備分野で用いられる洗面用の鏡などにも適用可能であり、その他、通常、室内などで用いられる鏡にも広く適用可能である。
【符号の説明】
【００３８】
１  浴室用防汚鏡
２  鏡本体
３  フィルム
６  基材
７  親水層
８  接着層
１０  鏡本体の周囲の垂直面
１１  フィルムの主表面
１２  フィルムの面取り斜面
１３  鏡本体の面取り斜面
１４  鏡本体の角部
１５  鏡本体の角部の切り落し面
１６  鏡本体の角部の切り落し面における面取り斜面
１７  鏡本体の角部の切り落し面における垂直面
１８  フィルムの角部の切り落し面
２０  フィルムの角部
２１  浴室用防汚鏡の角部
２２  フィルムの角部の切り落し面
２５  フィルムの垂直面
【図１】
0006586742.tif 000002
【図２】
0006586742.tif 000003
【図３】
0006586742.tif 000004
【図４】
0006586742.tif 000005
【図５】
0006586742.tif 000006